(57)【要約】      （修正有）【課題】媒体の搬送に適用する補正値の相対的な位置を修正しつつ搬送量の補正を行って媒体の搬送を行う。【解決手段】目標となる目標搬送量に応じて、前記媒体を搬送方向に搬送する搬送機構と、補正値を複数記憶するメモリと、前記媒体の下端を検出するためのセンサと、前記媒体の上端を基準とする前記相対位置に対応づけられた補正値により前記目標搬送量を補正し、補正された前記目標搬送量にて前記搬送機構に前記媒体を搬送させ、前記センサによって前記媒体の下端を検出した後、前記媒体の下端を基準とする前記相対位置に対応づけられた補正値により前記目標搬送量を補正し、補正された前記目標搬送量にて前記搬送機構に前記媒体を搬送させるコントローラと、を備える記録装置。【選択図】図３０
2009137136.tif 000002
【特許請求の範囲】
【請求項１】
（Ａ）媒体に記録を行うためのヘッドと、
（Ｂ）前記ヘッドの上流側のローラを含む搬送機構であって、目標となる目標搬送量に応じて、前記媒体を搬送方向に搬送する搬送機構と、
（Ｃ）媒体を搬送するときにおいて前記目標搬送量を補正するための補正値であって、前記ヘッドと前記媒体との相対位置に対応づけられた補正値を複数記憶するメモリと、
（Ｄ）前記上流側のローラよりも上流側に設けられたセンサであって、前記搬送方向に搬送されている前記媒体の下端を検出するためのセンサと、
（Ｅ）前記媒体の上端を基準とする前記相対位置に対応づけられた補正値により前記目標搬送量を補正し、補正された前記目標搬送量にて前記搬送機構に前記媒体を搬送させ、
前記センサによって前記媒体の下端を検出した後、前記媒体の下端を基準とする前記相対位置に対応づけられた補正値により前記目標搬送量を補正し、補正された前記目標搬送量にて前記搬送機構に前記媒体を搬送させるコントローラと、
を備える記録装置。
【請求項２】
前記搬送機構は、前記媒体を搬送方向に搬送するための前記ヘッドの下流側のローラをさらに含み、
前記媒体の下端を検出するべき相対位置までの搬送を行っても前記媒体の下端が検出されないとき、前記コントローラは、前記上流側に設けられたローラと前記下流側のローラとの両方に搬送されているときに使用される補正値のうちの一部の補正値を複数回使用するようにして前記目標搬送量の補正を行いつつ前記媒体の搬送を行う、請求項１に記載の記録装置。
【請求項３】
前記搬送機構は、前記媒体を搬送方向に搬送するための前記ヘッドの下流側のローラをさらに含み、
前記媒体の下端を検出するべき相対位置までの搬送を行う前に前記媒体の下端が検出されたとき、前記コントローラは、前記上流側に設けられたローラと前記下流側のローラとの両方に搬送されているときに使用される補正値の一部の補正値を使用しないようにして前記目標搬送量の補正を行いつつ前記媒体の搬送を行う、請求項１に記載の記録装置。
【請求項４】
各前記補正値には、その補正値を適用すべき前記相対位置の範囲が対応づけられており、
前記コントローラは、前記目標搬送量にて搬送する際の前記相対位置の変化する範囲と、前記補正値を適用すべき前記相対位置の前記範囲との比率に応じて前記補正値に重み付けを行い、前記目標搬送量を補正する、請求項１〜４のいずれかに記載の記録装置。
【請求項５】
媒体を搬送するときにおいて目標搬送量を補正するための補正値であって、ヘッドと前記媒体との相対位置に対応づけられた補正値を複数記憶するステップと、
前記媒体の上端を基準とする前記相対位置に対応づけられた補正値により前記目標搬送量を補正し、補正された前記目標搬送量にて前記媒体を搬送させるステップと、
上流側のローラよりも上流側に設けられたセンサが、搬送方向に搬送されている前記媒体の下端を検出した後、前記媒体の下端を基準とする前記相対位置に対応づけられた補正値により前記目標搬送量を補正し、補正された前記目標搬送量にて前記媒体を搬送するステップと、
を含む搬送量補正方法。
【請求項６】
搬送量補正装置を動作させるためのプログラムであって、
媒体を搬送するときにおいて目標搬送量を補正するための補正値であって、ヘッドと前記媒体との相対位置に対応づけられた補正値を複数記憶するステップと、
前記媒体の上端を基準とする前記相対位置に対応づけられた補正値により前記目標搬送量を補正し、補正された前記目標搬送量にて前記媒体を搬送させるステップと、
上流側のローラよりも上流側に設けられたセンサが、搬送方向に搬送されている前記媒体の下端を検出した後、前記媒体の下端を基準とする前記相対位置に対応づけられた補正値により前記目標搬送量を補正し、補正された前記目標搬送量にて前記媒体を搬送するステップと、
を前記搬送量記録装置に行わせるプログラム。
【発明の詳細な説明】
【技術分野】
【０００１】
本発明は、記録装置、搬送量補正方法、及び、プログラムに関する。
【背景技術】
【０００２】
媒体である用紙を搬送させつつインク滴を吐出して印刷を行うプリンタがある。このようなプリンタでは、画像の品質を向上させるために高い用紙の搬送精度が要求される。特許文献１には、紙送り誤差を補正する技術が開示されている。また、特許文献２には、各行にそれぞれ対応する補正値を適用して搬送量の補正を行うことが開示されている。
【特許文献１】特開２００３−１１３４５号公報
【特許文献２】特開平５−９６７９６号公報
【発明の開示】
【発明が解決しようとする課題】
【０００３】
搬送されている媒体のプリンタに対する相対的な位置毎に対応する補正値を適用して精度の高い搬送を行うこともできる。このとき、搬送量を補正するための補正値は、用紙の搬送方向の各相対位置にあわせて用意され、それぞれの補正値が対応する相対位置において適用されることで搬送量の補正が適切に行われる。
【０００４】
しかしながら、それぞれの補正値の適用が予定される媒体の相対的な位置が、実際の搬送において異なってしまう場合がある。このような場合には、適用する補正値の媒体に対する相対的な位置が一致せず、搬送量の適切な補正ができない。よって、搬送過程において、媒体の搬送に適用する補正値の相対的な位置を修正する必要がある。
【０００５】
本発明は、このような事情に鑑みてなされたものであり、媒体の搬送に適用する補正値の相対的な位置を修正しつつ搬送量の補正を行って媒体の搬送を行うことを目的とする。
【課題を解決するための手段】
【０００６】
上記目的を達成するための主たる発明は、
（Ａ）媒体に記録を行うためのヘッドと、
（Ｂ）前記ヘッドの上流側のローラを含む搬送機構であって、目標となる目標搬送量に応じて、前記媒体を搬送方向に搬送する搬送機構と、
（Ｃ）媒体を搬送するときにおいて前記目標搬送量を補正するための補正値であって、前記ヘッドと前記媒体との相対位置に対応づけられた補正値を複数記憶するメモリと、
（Ｄ）前記上流側のローラよりも上流側に設けられたセンサであって、前記搬送方向に搬送されている前記媒体の下端を検出するためのセンサと、
（Ｅ）前記媒体の上端を基準とする前記相対位置に対応づけられた補正値により前記目標搬送量を補正し、補正された前記目標搬送量にて前記搬送機構に前記媒体を搬送させ、
前記センサによって前記媒体の下端を検出した後、前記媒体の下端を基準とする前記相対位置に対応づけられた補正値により前記目標搬送量を補正し、補正された前記目標搬送量にて前記搬送機構に前記媒体を搬送させるコントローラと、
を備える記録装置である。
【０００７】
本発明の他の特徴については、本明細書及び添付図面の記載により明らかにする。
【発明を実施するための最良の形態】
【０００８】
本明細書及び添付図面の記載により、少なくとも、以下の事項が明らかとなる。  
（Ａ）媒体に記録を行うためのヘッドと、
（Ｂ）前記ヘッドの上流側のローラを含む搬送機構であって、目標となる目標搬送量に応じて、前記媒体を搬送方向に搬送する搬送機構と、
（Ｃ）媒体を搬送するときにおいて前記目標搬送量を補正するための補正値であって、前記ヘッドと前記媒体との相対位置に対応づけられた補正値を複数記憶するメモリと、
（Ｄ）前記上流側のローラよりも上流側に設けられたセンサであって、前記搬送方向に搬送されている前記媒体の下端を検出するためのセンサと、
（Ｅ）前記媒体の上端を基準とする前記相対位置に対応づけられた補正値により前記目標搬送量を補正し、補正された前記目標搬送量にて前記搬送機構に前記媒体を搬送させ、
前記センサによって前記媒体の下端を検出した後、前記媒体の下端を基準とする前記相対位置に対応づけられた補正値により前記目標搬送量を補正し、補正された前記目標搬送量にて前記搬送機構に前記媒体を搬送させるコントローラと、
を備える記録装置。  
このようにすることで、媒体の搬送に適用する補正値の相対的な位置を修正しつつ搬送量の補正を行って搬送を行うことができる。
【０００９】
かかる記録装置であって、前記搬送機構は、前記媒体を搬送方向に搬送するための前記ヘッドの下流側のローラをさらに含み、前記媒体の下端を検出するべき相対位置までの搬送を行っても前記媒体の下端が検出されないとき、前記コントローラは、前記上流側に設けられたローラと前記下流側のローラとの両方に搬送されているときに使用される補正値のうちの一部の補正値を複数回使用するようにして前記目標搬送量の補正を行いつつ前記媒体の搬送を行うことが望ましい。また、前記搬送機構は、前記媒体を搬送方向に搬送するための前記ヘッドの下流側のローラをさらに含み、前記媒体の下端を検出するべき相対位置までの搬送を行う前に前記媒体の下端が検出されたとき、前記コントローラは、前記上流側に設けられたローラと前記下流側のローラとの両方に搬送されているときに使用される補正値の一部の補正値を使用しないようにして前記目標搬送量の補正を行いつつ前記媒体の搬送を行うことが望ましい。また、各前記補正値には、その補正値を適用すべき前記相対位置の範囲が対応づけられており、前記コントローラは、前記目標搬送量にて搬送する際の前記相対位置の変化する範囲と、前記補正値を適用すべき前記相対位置の前記範囲との比率に応じて前記補正値に重み付けを行い、前記目標搬送量を補正することが望ましい。  
このようにすることで、媒体の搬送に適用する補正値の相対的な位置を修正しつつ搬送量の補正を行って搬送を行うことができる。
【００１０】
媒体を搬送するときにおいて目標搬送量を補正するための補正値であって、ヘッドと前記媒体との相対位置に対応づけられた補正値を複数記憶するステップと、
前記媒体の上端を基準とする前記相対位置に対応づけられた補正値により前記目標搬送量を補正し、補正された前記目標搬送量にて前記媒体を搬送させるステップと、
上流側のローラよりも上流側に設けられたセンサが、搬送方向に搬送されている前記媒体の下端を検出した後、前記媒体の下端を基準とする前記相対位置に対応づけられた補正値により前記目標搬送量を補正し、補正された前記目標搬送量にて前記媒体を搬送するステップと、
を含む搬送量補正方法。  
このようにすることで、媒体の搬送に適用する補正値の相対的な位置を修正しつつ搬送量の補正を行って搬送を行うことができる。
【００１１】
搬送量補正装置を動作させるためのプログラムであって、
媒体を搬送するときにおいて目標搬送量を補正するための補正値であって、ヘッドと前記媒体との相対位置に対応づけられた補正値を複数記憶するステップと、
前記媒体の上端を基準とする前記相対位置に対応づけられた補正値により前記目標搬送量を補正し、補正された前記目標搬送量にて前記媒体を搬送させるステップと、
上流側のローラよりも上流側に設けられたセンサが、搬送方向に搬送されている前記媒体の下端を検出した後、前記媒体の下端を基準とする前記相対位置に対応づけられた補正値により前記目標搬送量を補正し、補正された前記目標搬送量にて前記媒体を搬送するステップと、
を前記搬送量記録装置に行わせるプログラム。  
このようにすることで、媒体の搬送に適用する補正値の相対的な位置を修正しつつ搬送量の補正を行って搬送を行うことができる。
【００１２】
＝＝＝プリンタの構成＝＝＝
＜インクジェットプリンタの構成について＞
図１は、プリンタ１の全体構成のブロック図である。また、図２Ａは、プリンタ１の全体構成の概略図である。また、図２Ｂは、プリンタ１の全体構成の横断面図である。以下、プリンタの基本的な構成について説明する。
【００１３】
プリンタ１は、搬送ユニット２０、キャリッジユニット３０、ヘッドユニット４０、検出器群５０、及びコントローラ６０を有する。外部装置であるコンピュータ１１０から印刷データを受信したプリンタ１は、コントローラ６０によって各ユニット（搬送ユニット２０、キャリッジユニット３０、ヘッドユニット４０）を制御する。コントローラ６０は、コンピュータ１１０から受信した印刷データに基づいて、各ユニットを制御し、用紙に画像を印刷する。プリンタ１内の状況は検出器群５０によって監視されており、検出器群５０は、検出結果をコントローラ６０に出力する。コントローラ６０は、検出器群５０から出力された検出結果に基づいて、各ユニットを制御する。
【００１４】
搬送ユニット２０は、媒体（例えば、用紙Ｓなど）を所定の方向（以下、搬送方向という）に搬送させるためのものである。この搬送ユニット２０は、給紙ローラ２１と、搬送モータ２２（ＰＦモータとも言う）と、搬送ローラ２３と、プラテン２４と、排紙ローラ２５とを有する。給紙ローラ２１は、用紙挿入口に挿入された用紙をプリンタ内に給紙するためのローラである。搬送ローラ２３は、給紙ローラ２１によって給紙された用紙Ｓを印刷可能な領域まで搬送するローラであり、搬送モータ２２によって駆動される。プラテン２４は、印刷中の用紙Ｓを支持する。排紙ローラ２５は、用紙Ｓをプリンタの外部に排出するローラであり、印刷可能な領域に対して搬送方向下流側に設けられている。この排紙ローラ２５は、搬送ローラ２３と同期して回転する。
【００１５】
なお、搬送ローラ２３が用紙Ｓを搬送するとき、用紙Ｓは搬送ローラ２３と従動ローラ２６との間に挟まれている。これにより、用紙Ｓの姿勢が安定する。一方、排紙ローラ２５が用紙Ｓを搬送するとき、用紙Ｓは排紙ローラ２５と従動ローラ２７との間に挟まれている。排紙ローラ２５は印刷領域よりも搬送方向下流側に設けられているので、従動ローラ２７は、用紙Ｓとの接触面が小さくなるように構成されている（図４も参照）。このため、用紙Ｓの下端が搬送ローラ２３を通過して、用紙Ｓが排紙ローラ２５のみによって搬送されるとき、用紙Ｓの姿勢は不安定になり易く、搬送特性も変化しやすい。
【００１６】
キャリッジユニット３０は、ヘッドを所定の方向（以下、移動方向という）に移動（「走査」とも呼ばれる）させるためのものである。キャリッジユニット３０は、キャリッジ３１と、キャリッジモータ３２（ＣＲモータとも言う）とを有する。キャリッジ３１は、移動方向に往復移動可能であり、キャリッジモータ３２によって駆動される。また、キャリッジ３１は、インクを収容するインクカートリッジを着脱可能に保持している。
【００１７】
ヘッドユニット４０は、用紙にインクを吐出するためのものである。ヘッドユニット４０は、複数のノズルを有するヘッド４１を備える。このヘッド４１はキャリッジ３１に設けられているため、キャリッジ３１が移動方向に移動すると、ヘッド４１も移動方向に移動する。そして、ヘッド４１が移動方向に移動中にインクを断続的に吐出することによって、移動方向に沿ったドットライン（ラスタライン）が用紙に形成される。
【００１８】
検出器群５０には、リニア式エンコーダ５１、ロータリー式エンコーダ５２、用紙検出センサ５３、および光学センサ５４等が含まれる。リニア式エンコーダ５１は、キャリッジ３１の移動方向の位置を検出する。ロータリー式エンコーダ５２は、搬送ローラ２３の回転量を検出する。用紙検出センサ５３は、給紙中の用紙の先端及び後端の位置を検出する。光学センサ５４は、キャリッジ３１に取付けられている発光部と受光部により、用紙の有無を検出する。そして、光学センサ５４は、キャリッジ３１によって移動しながら用紙の端部の位置を検出し、用紙の幅を検出することができる。また、光学センサ５４は、状況に応じて、用紙の先端（搬送方向下流側の端部であり、上端ともいう）・後端（搬送方向上流側の端部であり、下端ともいう）も検出できる。
【００１９】
コントローラ６０は、プリンタの制御を行うための制御ユニット（制御部）である。コントローラ６０は、インターフェース部６１と、ＣＰＵ６２と、メモリ６３と、ユニット制御回路６４とを有する。インターフェース部６１は、外部装置であるコンピュータ１１０とプリンタ１との間でデータの送受信を行う。ＣＰＵ６２は、プリンタ全体の制御を行うための演算処理装置である。メモリ６３は、ＣＰＵ６２のプログラムを格納する領域や作業領域等を確保するためのものであり、ＲＡＭ、ＥＥＰＲＯＭ等の記憶素子を有する。ＣＰＵ６２は、メモリ６３に格納されているプログラムに従って、ユニット制御回路６４を介して各ユニットを制御する。
【００２０】
＜ノズルについて＞
図３は、ヘッド４１の下面におけるノズルの配列を示す説明図である。ヘッド４１の下面には、ブラックインクノズル群Ｋと、シアンインクノズル群Ｃと、マゼンタインクノズル群Ｍと、イエローインクノズル群Ｙが形成されている。各ノズル群は、各色のインクを吐出するための吐出口であるノズルを９０個備えている。
【００２１】
各ノズル群の複数のノズルは、搬送方向に沿って、一定の間隔（ノズルピッチ：ｋ・Ｄ）でそれぞれ整列している。ここで、Ｄは、搬送方向における最小のドットピッチ（つまり、用紙Ｓに形成されるドットの最高解像度での間隔）である。また、ｋは、１以上の整数である。例えば、ノズルピッチが９０ｄｐｉ（１／９０インチ）であって、搬送方向のドットピッチが７２０ｄｐｉ（１／７２０インチ）である場合、ｋ＝８である。
【００２２】
各ノズル群のノズルは、下流側のノズルほど小さい数の番号が付されている（♯１〜♯９０）。つまり、ノズル♯１は、ノズル♯９０よりも搬送方向の下流側に位置している。なお、前述の光学センサ５４は、用紙搬送方向の位置に関して、一番上流側にあるノズル♯９０とほぼ同じ位置にある。
【００２３】
各ノズルには、それぞれインクチャンバー（不図示）と、ピエゾ素子が設けられている。ピエゾ素子の駆動によってインクチャンバーが伸縮・膨張し、ノズルからインク滴が吐出される。
【００２４】
＝＝＝搬送誤差＝＝＝
＜用紙の搬送について＞
図４は、搬送ユニット２０の構成の説明図である。  
搬送ユニット２０は、コントローラ６０からの搬送指令に基づいて、所定の駆動量にて搬送モータ２２を駆動させる。搬送モータ２２は、指令された駆動量に応じて回転方向の駆動力を発生する。搬送モータ２２は、この駆動力を用いて搬送ローラ２３を回転させる。つまり、搬送モータ２２が所定の駆動量を発生すると、搬送ローラ２３は所定の回転量にて回転する。搬送ローラ２３が所定の回転量にて回転すると、用紙は所定の搬送量にて搬送される。
【００２５】
用紙の搬送量は、搬送ローラ２３の回転量に応じて定まる。ここでは、搬送ローラ２３が１回転すると、用紙が１インチ搬送されるものとする（つまり、搬送ローラ２３の周長は、１インチである）。このため、搬送ローラ２３が１／４回転すると、用紙が１／４インチ搬送される。  
したがって、搬送ローラ２３の回転量が検出できれば、用紙の搬送量も検出可能である。そこで、搬送ローラ２３の回転量を検出するため、ロータリー式エンコーダ５２が設けられている。
【００２６】
ロータリー式エンコーダ５２は、スケール５２１と検出部５２２とを有する。スケール５２１は、所定の間隔毎に設けられた多数のスリットを有する。このスケール５２１は、搬送ローラ２３に設けられている。つまり、スケール５２１は、搬送ローラ２３が回転すると、一緒に回転する。そして、搬送ローラ２３が回転すると、スケール５２１の各スリットが検出部５２２を順次通過する。検出部５２２は、スケール５２１と対向して設けられており、プリンタ本体側に固定されている。ロータリー式エンコーダ５２は、スケール５２１に設けられたスリットが検出部５２２を通過する毎に、パルス信号を出力する。搬送ローラ２３の回転量に応じてスケール５２１に設けられたスリットが順次検出部５２２を通過するので、ロータリー式エンコーダ５２の出力に基づいて、搬送ローラ２３の回転量が検出される
そして、例えば搬送量１インチで用紙を搬送する場合、搬送ローラ２３が１回転したことをロータリー式エンコーダ５２が検出するまで、コントローラ６０が搬送モータ２２を駆動する。このように、コントローラ６０は、目標とする搬送量（目標搬送量）に応じた回転量になることをロータリー式エンコーダ５２が検出するまで、搬送モータ２２を駆動して、用紙を目標搬送量にて搬送する。
【００２７】
また、排紙ローラ２５の周長も１インチであり、排紙ローラ２５が１回転すると、用紙が１インチ搬送される。前述のとり、排紙ローラ２５は、搬送ローラ２３と同期して回転するため、ロータリー式エンコーダ５２の出力に基づいて、排紙ローラ２５の回転量も検出可能となっている。
【００２８】
＜搬送誤差について＞
ところで、ロータリー式エンコーダ５２は、直接的には搬送ローラ２３の回転量を検出するのであって、厳密にいえば、用紙Ｓの搬送量を検出していない。このため、搬送ローラ２３の回転量と用紙Ｓの搬送量が一致しない場合、ロータリー式エンコーダ５２は用紙Ｓの搬送量を正確に検出することができず、搬送誤差（検出誤差）が生じる。搬送誤差としては、ＤＣ成分の搬送誤差及びＡＣ成分の搬送誤差の２種類がある。
【００２９】
ＤＣ成分の搬送誤差とは、搬送ローラが１回転したときに生じる所定量の搬送誤差のことである。このＤＣ成分の搬送誤差は、製造誤差等によって搬送ローラ２３の周長が個々のプリンタ毎に異なることが原因と考えられる。つまり、ＤＣ成分の搬送誤差は、設計上の搬送ローラ２３の周長と実際の搬送ローラ２３の周長が異なるために生じる搬送誤差である。このＤＣ成分の搬送誤差は、搬送ローラ２３が１回転するときの開始位置に関わらず、一定になる。但し、実際のＤＣ成分の搬送誤差は、用紙の摩擦等の影響によって、用紙の総搬送量に応じて異なる値になる（後述）。言い換えると、実際のＤＣ成分の搬送誤差は、用紙Ｓと搬送ローラ２３（又は用紙Ｓとヘッド４１）との相対位置関係に応じて異なる値になる。
【００３０】
ＡＣ成分の搬送誤差とは、搬送時に用いられる搬送ローラの周面の場所に応じた搬送誤差のことである。ＡＣ成分の搬送誤差は、搬送時に用いられる搬送ローラの周面の場所に応じて、異なる量になる。つまり、ＡＣ成分の搬送誤差は、搬送開始時の搬送ローラの回転位置と搬送量に応じて、異なる量になる。
【００３１】
図５は、ＡＣ成分の搬送誤差の説明用グラフである。横軸は、基準となる回転位置からの搬送ローラ２３の回転量である。縦軸は、搬送誤差を示す。このグラフを微分すれば、その回転位置で搬送ローラが搬送しているときに生じる搬送誤差が導き出される。ここでは、基準位置における累積搬送誤差をゼロとし、ＤＣ成分の搬送誤差もゼロとしている。
【００３２】
搬送ローラ２３が基準位置から１／４回転すると、δ_90の搬送誤差が生じ、用紙は１／４インチ＋δ_90にて搬送される。但し、搬送ローラ２３が更に１／４回転すると、-δ_90の搬送誤差が生じ、用紙は１／４インチ−δ_90にて搬送される。
【００３３】
ＡＣ成分の搬送誤差が生じる原因としては、例えば、以下の３つが考えられる。  
まず第１に、搬送ローラの形状による影響が考えられる。例えば、搬送ローラが楕円形状や卵型である場合、搬送ローラの周面の場所に応じて、回転中心までの距離が異なっている。そして、回転中心までの距離が長い部分で媒体を搬送する場合、搬送ローラの回転量に対する搬送量が多くなる。一方、回転中心までの距離が短い部分で媒体を搬送する場合、搬送ローラの回転量に対する搬送量が少なくなる。
【００３４】
第２に、搬送ローラの回転軸の偏心が考えられる。この場合も、搬送ローラの周面の場所に応じて、回転中心までの長さが異なっている。このため、たとえ搬送ローラの回転量が同じであっても、搬送ローラの周面の場所に応じて、搬送量が異なることになる。
【００３５】
第３に、搬送ローラの回転軸と、ロータリー式エンコーダ５２のスケール５２１の中心との不一致が考えられる。この場合、スケール５２１が偏心して回転することになる。この結果、検出部５２２が検出するスケール５２１の場所に応じて、検出されたパルス信号に対する搬送ローラ２３の回転量が異なることになる。例えば、検出されるスケール５２１の場所が搬送ローラ２３の回転軸から離れている場合、検出されたパルス信号に対する搬送ローラ２３の回転量が少なくなるため、搬送量が少なくなる。一方、検出されるスケール５２１の場所が搬送ローラ２３の回転軸から近い場合、検出されたパルス信号に対する搬送ローラ２３の回転量が多くなるため、搬送量が多くなる。
【００３６】
上記の原因のため、ＡＣ成分の搬送誤差は、図５に示す通り、ほぼサインカーブになる。
【００３７】
＜補正する搬送誤差＞
図６は、１０１．６ｍｍ×１５２．４ｍｍ（４インチ×６インチ）の大きさの用紙を搬送する際に生じる搬送誤差のグラフ（概念図）である。グラフの横軸は、用紙の総搬送量を示している。グラフの縦軸は、搬送誤差を示している。図中の点線は、ＤＣ成分の搬送誤差のグラフである。図中の実線の値（トータルの搬送誤差）から図中の点線の値（ＤＣ成分の搬送誤差）を引けば、ＡＣ成分の搬送誤差が求められる。ＡＣ成分の搬送誤差は、用紙の総搬送量に関わらず、ほぼサインカーブになる。一方、点線で示されるＤＣ成分の搬送誤差は、用紙の摩擦等の影響によって、用紙の総搬送量に応じて異なる値になる。
【００３８】
既に説明したように、ＡＣ成分の搬送誤差は、搬送ローラ２３の周面の場所に応じて異なる。このため、たとえ同じ用紙を搬送する場合であっても、搬送開始時の搬送ローラ２３の回転位置が異なれば、ＡＣ成分の搬送誤差が異なるため、トータルの搬送誤差（グラフの実線で示す搬送誤差）は異なることになる。これに対し、ＤＣ成分の搬送誤差はＡＣ成分の搬送誤差とは異なり搬送ローラの周面の場所とは無関係なので、たとえ搬送開始時の搬送ローラ２３の回転位置が異なっていても、搬送ローラ２３が１回転したときに生じる搬送誤差（ＤＣ成分の搬送誤差）は同じになる。  
また、ＡＣ成分の搬送誤差を補正しようとする場合、コントローラ６０は、搬送ローラ２３の回転位置を検出する必要がある。しかし、搬送ローラ２３の回転位置を検出するためには、ロータリー式エンコーダ５２に原点センサを更に用意する必要があり、コストアップとなる。  
そこで、以下に示す参考例の搬送量の補正では、ＤＣ成分の搬送誤差を補正することにしている。
【００３９】
ところで、ＤＣ成分の搬送誤差は、用紙の総搬送量（言い換えると、用紙Ｓと搬送ローラ２３との相対位置関係）に応じて異なる値になる（図６の点線参照）。このため、より多くの補正値を搬送方向の位置に応じて用意できれば、きめ細かく搬送誤差を補正することができる。そこで、参考例では、搬送ローラ２３の１回転分に相当する１インチの範囲ごとではなく、１／４インチの範囲ごとに、ＤＣ成分の搬送誤差を補正するための補正値を用意している。
【００４０】
尚、このような搬送誤差は排紙ローラ２５とその従動ローラ２７のみによる搬送のときにも生ずるものと考えられる。よって、後述するＤＣ成分の搬送誤差の補正は、排紙ローラ２５とその従動ローラ２７のみによる搬送のときにも用いることができる。
【００４１】
＝＝＝概略説明＝＝＝
図７は、搬送量を補正するための補正値を決定するまでのフロー図である。図８Ａ〜図８Ｃは、補正値を決定するまでの様子の説明図である。これらの処理は、プリンタ製造工場の検査工程において行われる。この処理に先立って、検査者は、組み立て完了後のプリンタ１を工場内のコンピュータ１１０に接続する。工場内のコンピュータ１１０には、スキャナ１５０も接続されており、プリンタドライバ、スキャナドライバ及び補正値取得プログラムが予めインストールされている。
【００４２】
まず、プリンタドライバが印刷データをプリンタ１に送信し、プリンタ１がテストシートＴＳに測定用パターンを印刷する（Ｓ１０１、図８Ａ）。次に、検査者はテストシートＴＳをスキャナ１５０にセットし、スキャナドライバがスキャナ１５０に測定用パターンを読み取らせ、画像データを取得する（Ｓ１０２、図８Ｂ）。なお、スキャナ１５０にはテストシートＴＳとともに基準シートがセットされており、基準シートに描画されている基準パターンも一緒に読み取られる。  
そして、補正値取得プログラムは、取得した画像データを解析し、補正値を算出する（Ｓ１０３）。そして、補正値取得プログラムは、補正データをプリンタ１に送信し、プリンタ１のメモリ６３に補正値を記憶させる（図８Ｃ）。プリンタに記憶される補正値は、個々のプリンタの搬送特性を反映したものになる。  
なお、補正値を記憶したプリンタは、梱包されてユーザの下に届けられる。ユーザがプリンタで画像を印刷する際に、プリンタは、補正値に基づいて用紙を搬送し、用紙に画像を印刷する。
【００４３】
＝＝＝測定用パターンの印刷（Ｓ１０１）＝＝＝
まず、測定用パターンの印刷について説明する。通常の印刷と同様に、プリンタ１は、移動中のノズルからインクを吐出してドットを形成するドット形成処理と、用紙を搬送方向に搬送する搬送動作とを交互に繰り返し、測定用パターンを用紙に印刷する。なお、以下の説明では、ドット形成処理のことを「パス」と呼び、ｎ回目のドット形成処理のことを「パスｎ」と呼ぶ。
【００４４】
図９は、測定用パターンの印刷の様子の説明図である。測定用パターンの印刷されるテストシートＴＳの大きさは、１０１．６ｍｍ×１５２．４ｍｍ（４インチ×６インチ）である。
【００４５】
図中の右側には、テストシートＴＳに印刷される測定用パターンが示されている。図中の左側の長方形は、各パスにおけるヘッド４１の位置（テストシートＴＳに対する相対位置）が示されている。説明の都合上、ヘッド４１がテストシートＴＳに対して移動しているように描かれているが、同図はヘッドとテストシートＴＳとの相対的な位置関係を示すものであって、実際にはテストシートＴＳが搬送方向に間欠的に搬送されている。
【００４６】
テストシートＴＳが搬送され続けると、テストシートＴＳの下端が搬送ローラ２３を通過する。テストシートＴＳの下端が搬送ローラ２３を通過する時に最上流ノズル♯９０と対向するテストシートＴＳの位置が、「ＮＩＰライン」として図中に点線で示されている。つまり、図中においてヘッド４１がＮＩＰラインよりも上にあるパスでは、搬送ローラ２３と従動ローラ２６との間でテストシートＴＳが挟まれた状態（ＮＩＰ状態）で、印刷が行われる。また、図中において、ヘッド４１がＮＩＰラインよりも下にあるパスでは、搬送ローラ２３と従動ローラ２６との間にテストシートＴＳがない状態（排紙ローラ２５と従動ローラ２７だけでテストシートＴＳを搬送する状態であり、これも「非ＮＩＰ状態」という）で、印刷が行われる。
【００４７】
ＮＩＰラインは、プリンタ１の搬送ローラ２３とヘッドとの距離により決まるものであり、前述の通り、用紙の下端が搬送ローラ２３を通過するときにノズル＃９０と対向する位置であった。ここでは、用紙の下端からＤｎの距離の位置がＮＩＰラインとなっている。
【００４８】
測定用パターンは、識別コードと、複数のラインとから構成される。  
識別コードは、個々のプリンタ１をそれぞれ識別するための個体識別用の記号である。この識別コードは、Ｓ１０２において測定用パターンが読み取られるときに一緒に読み取られ、ＯＣＲによる文字認識によって、コンピュータ１１０に識別される。  
各ラインは、いずれも移動方向に沿って形成されている。上端側から順にｉ番目のラインのことを「Ｌｉ」と呼ぶ。特定のラインは、他のラインよりも長く形成されている。例えば、ラインＬ１、ラインＬ１３、及び、ラインＬ２２は、他のラインと比べて、長く形成されている。これらのラインは、以下のようにして形成される。
【００４９】
まず、テストシートＴＳが所定の印刷開始位置まで搬送された後、パス１において、ノズル♯９０のみからインク滴が吐出され、ラインＬ１が形成される。パス１の後、コントローラ６０は、搬送ローラ２３を１／４回転させて、テストシートＴＳを約１／４インチだけ搬送する。搬送後、パス２において、ノズル♯９０のみからインク滴が吐出され、ラインＬ２が形成される。以下、同様の動作が繰り返し行われ、約１／４インチ間隔でラインＬ１〜ラインＬ２２が形成される。このように、ラインＬ１〜ラインＬ２２は、ノズル♯１〜ノズル♯９０のうちの最上流ノズル♯９０により形成される。なお、ラインＬ１〜ラインＬ２２はノズル♯９０のみによって形成されるが、識別コードを印刷するパスでは、識別コードを印刷する際に、ノズル♯９０以外のノズルも用いられる。
【００５０】
ところで、テストシートＴＳの搬送が理想的に行われた場合、ラインＬ１〜ラインＬ２２におけるライン同士の間隔は、ちょうど１／４インチになるはずである。しかし、搬送誤差があると、ライン間隔は１／４インチにならない。仮に理想的な搬送量よりも多くテストシートＴＳが搬送されると、ライン間隔は広がる。逆に、理想的な搬送量よりも少なくテストシートＴＳが搬送されると、ライン間隔が狭まる。つまり、ある２つのラインの間隔は、一方のラインが形成されるパスと他方のラインが形成されるパスとの間に行われる搬送処理での搬送誤差を反映している。このため、２つのラインの間隔を測定すれば、一方のラインが形成されるパスと他方のラインが形成されるパスとの間に行われる搬送処理での搬送誤差を測定することが可能になる。
【００５１】
＝＝＝パターンの読み取り（Ｓ１０２）＝＝＝
＜スキャナの構成＞
まず、測定用パターンの読み取りに用いられるスキャナ１５０の構成について説明する。  
図１０Ａは、スキャナ１５０の縦断面図である。図１０Ｂは、上蓋１５１を外した状態のスキャナ１５０の上面図である。
【００５２】
スキャナ１５０は、上蓋１５１と、原稿５が置かれる原稿台ガラス１５２と、この原稿台ガラス１５２を介して原稿５と対面しつつ副走査方向に移動する読取キャリッジ１５３と、読取キャリッジ１５３を副走査方向に案内する案内部１５４と、読取キャリッジ１５３を移動させるための移動機構１５５と、スキャナ１５０内の各部を制御するスキャナコントローラ（不図示）とを備えている。読取キャリッジ１５３には、原稿５に光を照射する露光ランプ１５７と、主走査方向（図１０Ａにおいて紙面に垂直な方向）のラインの像を検出するラインセンサ１５８と、原稿５からの反射光をラインセンサ１５８へ導くための光学系１５９とが設けられている。図中の読取キャリッジ１５３の内部の破線は、光の軌跡を示している。
【００５３】
原稿５の画像を読み取るとき、操作者は、上蓋１５１を開いて原稿５を原稿台ガラス１５２に置き、上蓋１５１を閉じる。そして、スキャナコントローラが、露光ランプ１５７を発光させた状態で読取キャリッジ１５３を副走査方向に沿って移動させ、ラインセンサ１５８により原稿５の表面の画像を読み取る。スキャナコントローラは、読み取った画像データをコンピュータ１１０のスキャナドライバへ送信し、これにより、コンピュータ１１０は、原稿５の画像データを取得する。
【００５４】
＜読み取り位置精度＞
後述するように、参考例ではスキャナ１５０は、テストシートＴＳの測定用パターンと基準シートの基準パターンとを、７２０ｄｐｉ（主走査方向）×７２０ｄｐｉ（副走査方向）の解像度で読み取る。このため、以下の説明では、７２０×７２０ｄｐｉの解像度で画像を読み取ることを前提にして説明を行う。
【００５５】
図１１は、スキャナの読み取り位置の誤差のグラフである。グラフの横軸は、読み取り位置（理論値）を示している（すなわち、グラフの横軸は、読取キャリッジ１５３の位置（理論値）を示している）。グラフの縦軸は、読み取り位置の誤差（読み取り位置の理論値と実際の読み取り位置との差）を示している。例えば、読取キャリッジ１５３を１インチ（＝２５．４ｍｍ）移動させると、約６０μｍの誤差が生じることになる。
【００５６】
仮に、読み取り位置の理論値と実際の読み取り位置が一致していれば、基準位置（読み取り位置がゼロの位置）を示す画素から副走査方向に７２０画素離れた画素は、基準位置からちょうど１インチ離れた位置の画像を示すはずである。しかし、グラフに示すような読み取り位置の誤差が生じた場合、基準位置を示す画素から副走査方向に７２０画素離れた画素は、基準位置から１インチ離れた位置よりも６０μｍだけ更に離れた位置の画像を示すことになる。
【００５７】
また、仮に、グラフの傾きがゼロであれば、１／７２０インチ毎に等間隔に、画像が読み取られるはずである。しかし、グラフの傾きがプラスの位置では、１／７２０インチよりも長い間隔で画像が読み取られることになる。また、グラフの傾きがマイナスの位置では、１／７２０インチよりも短い間隔で画像が読み取られることになる。
【００５８】
この結果、仮に測定用パターンのラインが等間隔に形成されたとしても、読み取り位置の誤差がある状態では、画像データ上のラインの画像が等間隔にならない。このように、読み取り位置の誤差がある状態では、測定用パターンを単に読み取っただけでは、ラインの位置を正確に計測することができない。
【００５９】
そこで、ここでは、テストシートＴＳをセットして測定用パターンをスキャナに読み取らせる際に、基準シートをセットして基準パターンも読み取らせている。
【００６０】
＜測定用パターンと基準パターンの読み取り＞
図１２Ａは、基準シートＳＳの説明図である。図１２Ｂは、原稿台ガラス１５２にテストシートＴＳと基準シートＳＳをセットした様子の説明図である。  
基準シートＳＳの大きさは１０ｍｍ×３００ｍｍであり、基準シートＳＳは長細い形をしている。基準シートＳＳには、基準パターンとして３６ｄｐｉ間隔にて多数のラインが形成されている。基準シートＳＳは繰り返し使用されるため、紙ではなく、ＰＥＴフィルムから構成される。また、基準パターンは、レーザー加工により、高精度に形成されている。
【００６１】
不図示の治具を用いることによって、テストシートＴＳ及び基準シートＳＳは、原稿台ガラス１５２上の所定の位置にセットされる。基準シートＳＳは、長辺がスキャナ１５０の副走査方向に平行になるように、すなわち基準シートＳＳの各ラインがスキャナ１５０の主走査方向に平行になるように、原稿台ガラス１５２上にセットされる。この基準シートＳＳの横に、テストシートＴＳがセットされる。テストシートＴＳは、長辺がスキャナ１５０の副走査方向に平行になるように、すなわち測定用パターンの各ラインが主走査方向に平行になるように、原稿台ガラス１５２上にセットされる。
【００６２】
このようにテストシートＴＳと基準シートＳＳをセットした状態で、スキャナ１５０は、測定用パターンと基準パターンを読み取る。このとき、読み取り位置の誤差の影響のため、読取結果における測定用パターンの画像は実際の測定用パターンと比べて歪んだ画像になる。同様に、基準パターンの画像も実際の基準パターンと比べて歪んだ画像になる。
【００６３】
なお、読取結果における測定用パターンの画像は、読み取り位置の誤差の影響だけではなく、プリンタ１の搬送誤差の影響も受けている。一方、基準パターンはプリンタの搬送誤差とは何も関わりなく等間隔にて形成されているので、基準パターンの画像は、スキャナ１５０の読み取り位置の誤差の影響を受けているが、プリンタ１の搬送誤差の影響は受けていない。
【００６４】
そこで、補正値取得プログラムは、測定用パターンの画像に基づいて補正値を算出する際に、基準パターンの画像に基づいて、測定用パターンの画像における読み取り位置の誤差の影響をキャンセルさせる。
【００６５】
＝＝＝補正値の算出（Ｓ１０３）＝＝＝
補正値の算出の説明の前に、スキャナ１５０から取得した画像データについて説明する。画像データは、複数の画素データから構成されている。各画素データは、対応する画素の階調値を示している。スキャナの読み取り誤差を無視すれば、各画素は１／７２０インチ×１／７２０インチの大きさに相当する。このような画素を最小構成単位として画像（ディジタル画像）が構成されており、画像データは、このような画像を示すデータになっている。
【００６６】
図１３は、Ｓ１０３における補正値算出処理のフロー図である。コンピュータ１１０は、補正値取得プログラムに従って、各処理を実行する。つまり、補正値取得プログラムは、各処理をコンピュータ１１０に実行させるためのコードを有する。
【００６７】
＜画像の分割（Ｓ１３１）＞
まず、コンピュータ１１０は、スキャナ１５０から取得した画像データの示す画像を２つに分割する（Ｓ１３１）。  
図１４は、画像の分割（Ｓ１３１）の説明図である。図中の左側には、スキャナから取得した画像データの示す画像が描かれている。図中の右側には、分割された画像が描かれている。以下の説明において、図中の左右方向（水平方向）をｘ方向と呼び、図中の上下方向（垂直方向）をｙ方向と呼ぶ。基準パターンの画像における各ラインはｘ方向にほぼ平行であり、測定用パターンの画像における各ラインはｙ方向にほぼ平行である。
【００６８】
コンピュータ１１０は、読取結果の画像から所定の範囲の画像を取り出すことによって、画像を２つに分割する。読取結果の画像が２つに分割されることにより、一方の画像が基準パターンの画像を示し、他方の画像が測定用パターンの画像を示すことになる。このように分割する理由は、基準シートＳＳとテストシートＴＳがそれぞれ別々に傾いてスキャナ１５０にセットされるおそれがあるので、それぞれ別々に傾き補正（Ｓ１３３）をするためである。
【００６９】
＜各画像の傾きの検出（Ｓ１３２）＞
次に、コンピュータ１１０は、画像の傾きを検出する（Ｓ１３２）。  
図１５Ａは、測定用パターンの画像の傾きを検出する様子の説明図である。コンピュータ１１０は、画像データの中から、左からＫＸ２番目の画素であって、上からＫＹ１番目からＪＹ個の画素を取り出す。同様に、コンピュータ１１０は、画像データの中から、左からＫＸ３番目の画素であって、上からＫＹ１番目からＪＹ個の画素を取り出す。なお、取り出される画素の中にラインＬ１を示す画素が含まれるように、パラメータＫＸ２、ＫＸ３、ＫＹ１及びＪＹが設定されている。  
図１５Ｂは、取り出された画素の階調値のグラフである。横軸は、画素の位置（Ｙ座標）を示している。縦軸は、画素の階調値を示している。コンピュータ１１０は、取り出されたＪＹ個の画素の画素データに基づいて、重心位置ＫＹ２、ＫＹ３をそれぞれ求める。  
そして、コンピュータ１１０は、次式によりラインＬ１の傾きθを算出する。  
θ＝ｔａｎ−１｛（ＫＹ２−ＫＹ３）／（ＫＸ２−ＫＸ３）｝
なお、コンピュータ１１０は、測定用パターンの画像の傾きだけでなく、基準パターンの画像の傾きも検出する。基準パターンの画像の傾きの検出方法は、上記の方法とほぼ同様であるので、説明を省略する。
【００７０】
＜各画像の傾きの補正（Ｓ１３３）＞
次に、コンピュータ１１０は、Ｓ１３２において検出した傾きθに基づいて、画像を回転処理し、画像の傾きを補正する（Ｓ１３３）。測定用パターンの画像は、測定用パターンの画像の傾き結果に基づいて回転補正され、基準パターンの画像は、基準パターンの画像の傾き結果に基づいて回転補正される。  
画像の回転処理のアルゴリズムには、バイリニア法が用いられる。このアルゴリズムは良く知られているので、説明は省略する。
【００７１】
＜印刷時の傾きの検出（Ｓ１３４）＞
次に、コンピュータ１１０は、測定用パターンの印刷時の傾き（スキュー）を検出する（Ｓ１３４）。測定用パターンを印刷するときにテストシートの下端が搬送ローラを通過すると、テストシートの下端がヘッド４１に接触し、テストシートが動くことがある。このようなことが起こると、その測定用パターンにより算出された補正値が不適切なものになる。そこで、測定用パターンの印刷時の傾きを検出することにより、テストシートの下端がヘッド４１に接触したか否かを検出し、接触した場合にはエラーとする。  
図１６は、測定用パターンの印刷時の傾きの検出の様子の説明図である。まず、コンピュータ１１０は、ラインＬ１（一番上のライン）とラインＬ２２における左側の間隔ＹＬと、右側の間隔ＹＲとを検出する。そして、コンピュータ１１０は、間隔ＹＬと間隔ＹＲの差を算出し、この差が所定範囲内であれば次の処理（Ｓ１３５）へ進み、この差が所定範囲外であればエラーとする。
【００７２】
＜余白量の算出（Ｓ１３５）＞
次に、コンピュータ１１０は、余白量を算出する（Ｓ１３５）。  
図１７は、余白量Ｘの説明図である。図中の実線の四角形（外側の四角形）は、Ｓ１３３の回転補正後の画像を示している。図中の点線の四角形（内側の斜めの四角形）は、回転補正前の画像を示している。回転補正後の画像を長方形状にするため、Ｓ１３３の回転補正処理が行われる際に、回転後の画像の四隅に直角三角形状の余白が付加される。
【００７３】
仮に基準シートＳＳの傾きとテストシートＴＳの傾きとが異なると、付加される余白量が異なることになり、回転補正（Ｓ１３３）の前後において、基準パターンに対する測定用パターンのラインの位置が相対的にずれることになる。そこで、コンピュータ１１０は、次式により余白量Ｘを求め、Ｓ１３６において算出されるライン位置から余白量Ｘを差し引くことによって、基準パターンに対する測定用パターンのラインの位置のずれを防止する。  
Ｘ＝（ｗ cosθ−Ｗ´／２）×tanθ
【００７４】
＜スキャナ座標系でのライン位置の算出（Ｓ１３６）＞
次に、コンピュータ１１０は、スキャナ座標系での基準パターンのラインの位置及び測定用パターンのラインの位置をそれぞれ算出する（Ｓ１３６）。  
スキャナ座標系とは、１画素の大きさを１／７２０×１／７２０インチとしたときの座標系である。スキャナ１５０には読み取り位置の誤差があり、読み取り位置の誤差を考慮すると、各画素データの対応する実際の領域は厳密には１／７２０インチ×１／７２０インチにはならないが、スキャナ座標系では、各画素データの対応する領域（画素）の大きさを１／７２０×１／７２０インチとする。また、各画像における左上の画素の位置を、スキャナ座標系の原点とする。
【００７５】
図１８Ａは、ラインの位置を算出する際に用いられる画像の範囲の説明図である。図中の点線で示す範囲の画像の画像データが、ラインの位置を算出する際に用いられる。図１８Ｂは、ラインの位置の算出の説明図である。横軸は、画素のｙ方向の位置（スキャナ座標系）を示している。縦軸は、画素の階調値（ｘ方向に並ぶ画素の階調値の平均値）を示している。  
コンピュータ１１０は、階調値のピーク値の位置を求め、この位置を中心とする所定の範囲を演算範囲とする。そして、この演算範囲の画素の画素データに基づいて、階調値の重心位置を算出し、この重心位置をラインの位置とする。
【００７６】
図１９は、算出されたラインの位置の説明図である（なお、図中に示す位置は、所定の演算が施されて無次元化されている）。基準パターンは等間隔のラインから構成されているにもかかわらず、基準パターンの各ラインの重心位置に注目すると、算出された各ラインの位置は、等間隔にはなっていない。これは、スキャナ１５０の読み取り位置の誤差の影響と考えられる。
【００７７】
＜測定用パターンの各ラインの絶対位置の算出（Ｓ１３７）＞
次に、コンピュータ１１０は、測定用パターンのラインの絶対位置をそれぞれ算出する（Ｓ１３７）。  
図２０は、測定用パターンのｉ番目のラインの絶対位置の算出の説明図である。ここでは、測定用パターンのｉ番目のラインは、基準パターンのｊ−１番目のラインと、基準パターンのｊ番目のラインとの間に位置する。以下の説明では、測定用パターンのｉ番目のラインの位置（スキャナ座標系）を「Ｓ（ｉ）」と呼び、基準パターンのｊ番目のラインの位置（スキャナ座標系）を「Ｋ（ｊ）」と呼ぶ。また、基準パターンのｊ−１番目のラインとｊ番目のラインとの間隔（ｙ方向の間隔）を「Ｌ」と呼び、基準パターンのｊ−１番目のラインと測定用パターンのｉ番目のラインとの間隔（ｙ方向の間隔）を「Ｌ（ｉ）」と呼ぶ。  
まず、コンピュータ１１０は、次式に基づいて、間隔Ｌに対する間隔Ｌ（ｉ）の比率Ｈを算出する。  
Ｈ＝Ｌ（ｉ）／Ｌ
＝｛Ｓ（ｉ）−Ｋ（ｊ−１）｝／｛Ｋ（ｊ）−Ｋ（ｊ−１）｝
【００７８】
ところで、実際の基準シートＳＳ上の基準パターンは等間隔であるので、基準パターンの１番目のラインの絶対位置をゼロとすれば、基準パターンの任意のラインの位置を算出できる。例えば、基準パターンの２番目のラインの絶対位置は１／３６インチである。そこで、基準パターンのｊ番目のラインの絶対位置を「Ｊ（ｊ）」とし、測定用パターンのｉ番目のラインの絶対位置を「Ｒ（ｉ）」とすると、次式のようにしてＲ（ｉ）を算出できる。  
Ｒ（ｉ）＝｛Ｊ（ｊ）−Ｊ（ｊ−１）｝×Ｈ＋Ｊ（ｊ−１）
【００７９】
ここで、図１９における測定用パターンの１番目のラインの絶対位置の算出の具体的な手順について説明する。まず、コンピュータ１１０は、Ｓ（１）の値（373.768667）に基づいて、測定用パターンの１番目のラインが、基準パターンの２番目のラインと３番目のラインの間に位置していることを検出する。次に、コンピュータ１１０は、比率Ｈが0.40143008（＝(373.7686667-309.613250)/(469.430413-309.613250)）であることを算出する。次に、コンピュータ１１０は、測定用パターンの１番目のラインの絶対位置Ｒ（１）が0.98878678ミリ（＝0.038928613インチ＝｛１／３６インチ｝×0.40143008＋１／３６インチ）であることを算出する。  
このようにして、コンピュータ１１０は、測定用パターンの各ラインの絶対位置を算出する。
【００８０】
＜補正値の算出（Ｓ１３８）＞
次に、コンピュータ１１０は、測定用パターンを形成する際に行われた複数回の搬送動作に対応する補正値をそれぞれ算出する（Ｓ１３８）。各補正値は、理論上のライン間隔と実際のライン間隔との差に基づいて、算出される。
【００８１】
パスｉとパスｉ＋１との間で行われた搬送動作の補正値Ｃ（ｉ）は、「６．３５ｍｍ」（１／４インチ、すなわちラインＬｉとラインＬｉ＋１との理論上の間隔）から「Ｒ（ｉ＋１）−Ｒ（ｉ）」（ラインＬｉ＋１の絶対位置とラインＬｉの実際の間隔）を引いた値になる。例えば、パス１とパス２との間で行われた搬送動作の補正値Ｃ（１）は、６．３５ｍｍ−｛Ｒ（２）−Ｒ（１）｝となる。コンピュータ１１０は、このようにして補正値Ｃ（１）〜補正値Ｃ（２１）を算出する。
【００８２】
図２１は、補正値Ｃ（ｉ）の対応する範囲の説明図である。もし仮に、測定用パターンを印刷するときのパス１とパス２との間の搬送動作の際に、当初の目標搬送量から補正値Ｃ（１）を引いた値を目標にすれば、実際の搬送量がちょうど１／４インチ（＝６．３５ｍｍ）になったはずである。
【００８３】
＜補正値の平均化（Ｓ１３９）＞
ところで、本実施形態のロータリー式エンコーダ５２は原点センサを備えていないので、コントローラ６０は、搬送ローラ２３の回転量は検出できるが、搬送ローラ２３の回転位置までは検出していない。このため、搬送開始時の搬送ローラ２３の回転位置をプリンタ１は保証することがでない。つまり、印刷する度に、搬送開始時の搬送ローラ２３の回転位置が異なるおそれがある。一方、測定用パターンにおける隣接する２つの罫線の間隔は、１／４インチにて搬送するときのＤＣ成分の搬送誤差の影響だけではなく、ＡＣ成分の搬送誤差の影響も受けている。
【００８４】
従って、目標搬送量を補正する際に、測定用パターンにおける隣接する２つの罫線の間隔に基づいて算出された補正値Ｃをそのまま適用してしまうと、ＡＣ成分の搬送誤差の影響のため、搬送量が正しく補正されないおそれがある。例えば、測定用パターンの印刷時と同じようにパス１とパス２との間で１／４インチの搬送量の搬送動作を行う場合であっても、搬送開始時の搬送ローラ２３の回転位置が測定用パターンの印刷時と異なるのであれば、目標搬送量を補正値Ｃ（１）で補正しても、搬送量は正しく補正されない。もし、搬送開始時の搬送ローラ２３の回転位置が測定用パターンの印刷時と比べて１８０度異なっていると、ＡＣ成分の搬送誤差の影響のため、搬送量は正しく補正されないどころか、むしろ搬送誤差が悪化することもあり得る。  
そこで、本実施形態では、ＤＣ成分の搬送誤差だけを補正するようにするため、次式のように４個の補正値Ｃを平均化することによって、ＤＣ成分の搬送誤差を補正するための補正量Ｃａを算出している。  
Ｃａ（ｉ）＝｛Ｃ（ｉ−１）＋Ｃ（ｉ）＋Ｃ（ｉ＋１）＋Ｃ（ｉ＋２）｝／４
【００８５】
ここで、ＤＣ成分の搬送誤差を補正するための補正値Ｃａを上式によって算出できる理由を説明する。  
前述した通り、パスｉとパスｉ＋１との間で行われた搬送動作の補正値Ｃ（ｉ）は、「６．３５ｍｍ」（１／４インチ、すなわちラインＬｉとラインＬｉ＋１との理論上の間隔）から「Ｒ（ｉ＋１）−Ｒ（ｉ）」（ラインＬｉ＋１の絶対位置とラインＬｉの実際の間隔）を引いた値になる。そうすると、補正値Ｃａを算出するための上式は、次式のような意味になる。  
Ｃａ（ｉ）＝［２５．４ｍｍ−｛Ｒ（ｉ＋３）−Ｒ（ｉ−１）｝］／４
つまり、補正値Ｃａ（ｉ）は、理論上１インチ離れるべき２つのライン（ラインＬｉ＋３とラインＬｉ−１）の間隔と１インチ（搬送ローラ２３の１回転分の搬送量）との差を４で割った値である。言い換えると、補正値Ｃａ（ｉ）は、ラインＬｉ−１と、そのラインを形成してから１インチ搬送した後に形成したラインＬｉ＋３との間隔に応じた値になる。  
ゆえに、４個の補正値Ｃを平均化して算出される補正値Ｃａ（ｉ）は、ＡＣ成分の搬送誤差の影響を受けず、ＤＣ成分の搬送誤差を反映した値になる。
【００８６】
なお、パス２とパス３との間で行われる搬送動作の補正値Ｃａ（２）は、補正値Ｃ（１）〜Ｃ（４）の総和を４で割った値（補正値Ｃ（１）〜Ｃ（４）の平均値）として算出される。言い換えると、補正値Ｃａ（２）は、パス１で形成されるラインＬ１と、ラインＬ１を形成してから１インチ搬送した後のパス５で形成されるラインＬ５との間隔に応じた値になる。
【００８７】
また、補正値Ｃａ（ｉ）を算出する際にｉ−１がゼロ以下になる場合、補正値Ｃ（ｉ−１）はＣ（１）を適用する。例えば、パス１とパス２との間で行われる搬送動作の補正値Ｃａ（１）は、｛Ｃ（１）＋Ｃ（１）＋Ｃ（２）＋Ｃ（３）｝／４として算出される。また、補正値Ｃａ（ｉ）を算出する際にｉ＋１が２２以上になる場合、補正値Ｃａを算出するためのＣ（ｉ＋１）はＣ（２１）を適用する。同様に、ｉ＋２が２２以上になる場合、Ｃ（ｉ＋２）はＣ（２１）を適用する。例えば、パス２１とパス２２との間で行われる搬送動作の補正量Ｃａ（２１）は、｛Ｃ（２０）＋Ｃ（２１）＋Ｃ（２１）＋Ｃ（２１）｝／４として算出される。
【００８８】
コンピュータ１１０は、このようにして補正値Ｃａ（１）〜補正値Ｃａ（２１）を算出する。これにより、ＤＣ成分の搬送誤差を補正するための補正値が、１／４インチの範囲ごとに求められる。
【００８９】
＝＝＝補正値の記憶（Ｓ１０４）＝＝＝
次に、コンピュータ１１０は、補正値をプリンタ１のメモリ６３に記憶する（Ｓ１０４）。  
図２２は、メモリ６３に記憶されるテーブルの説明図である。メモリ６３に記憶される補正値は、補正値Ｃａ（１）〜Ｃａ（２１）である。また、各補正値を適用する範囲を示すための境界位置情報も、各補正値に関連付けられてメモリ６３に記憶される。
【００９０】
補正値Ｃａ（ｉ）に関連付けられる境界位置情報は、測定用パターンのラインＬｉ＋１に相当する位置（理論上の位置）を示す情報であり、この境界位置情報は、補正値Ｃａ（ｉ）を適用する範囲の下端側の境界を示している。なお、上端側の境界は、補正値Ｃａ（ｉ−１）に関連付けられる境界位置情報から求めることができる。従って、例えば補正値Ｃ（２）の適用範囲は、用紙Ｓに対してラインＬ１の位置とラインＬ２の位置の間（にノズル♯９０が位置する）の範囲となる。
【００９１】
プリンタ製造工場では、製造されるプリンタ毎に、各プリンタの個体の特徴を反映したテーブルがメモリ６３に記憶される。そして、このテーブルを記憶したプリンタは、梱包されて出荷される。
【００９２】
＝＝＝ユーザの下での印刷時の搬送動作＝＝＝
プリンタを購入したユーザの下で印刷が行われる際に、コントローラ６０は、メモリ６３からテーブルを読み出し、目標搬送量を補正値に基づいて補正し、補正された目標搬送量に基づいて搬送動作を行う。以下、ユーザの下での印刷時の搬送動作の様子について説明する。
【００９３】
図２３Ａは、第１のケースでの補正値の説明図である。第１のケースでは、搬送動作前のノズル♯９０の位置（用紙に対する相対位置）が補正値Ｃａ（ｉ）の適用範囲の上端側の境界位置と一致し、搬送動作後のノズル♯９０の位置が補正値Ｃａ（ｉ）の適用範囲の下端側の境界位置と一致している。このような場合、コントローラ６０は、補正値をＣａ（ｉ）とし、当初の目標搬送量Ｆから補正値Ｃａ（ｉ）を加えた値を目標にして搬送モータ２２を駆動して、用紙を搬送する。
【００９４】
図２３Ｂは、第２のケースでの補正値の説明図である。第２のケースでは、搬送動作前後のノズル♯９０の位置が、ともに補正値Ｃａ（ｉ）の適用範囲内にある。このような場合、コントローラ６０は、当初の目標搬送量Ｆと適用範囲の搬送方向長さＬとの比Ｆ／ＬをＣａ（ｉ）で掛けた値を補正値にする。そして、コントローラ６０は、当初の目標搬送量Ｆから補正値Ｃａ（ｉ）×（Ｆ／Ｌ）を加えた値を目標にして搬送モータ２２を駆動して、用紙を搬送する。
【００９５】
図２３Ｃは、第３のケースでの補正値の説明図である。第３のケースでは、搬送動作前のノズル♯９０の位置が補正値Ｃａ（ｉ）の適用範囲内にあり、搬送動作後のノズル♯９０の位置が補正値Ｃａ（ｉ＋１）の適用範囲内にある。ここで、目標搬送量Ｆのうちの補正値Ｃａ（ｉ）の適用範囲内での搬送量をＦ１とし、補正値Ｃａ（ｉ＋１）の適用範囲内での搬送量をＦ２とする。このような場合、コントローラ６０は、Ｃａ（ｉ）をＦ１／Ｌで掛けた値と、Ｃａ（ｉ＋１）をＦ２／Ｌで掛けた値との和を補正値とする。そして、コントローラ６０は、当初の目標搬送量Ｆから補正値を加えた値を目標にして搬送モータ２２を駆動して、用紙を搬送する。
【００９６】
図２３Ｄは、第４のケースでの補正値の説明図である。第４のケースでは、補正値Ｃａ（ｉ＋１）の適用範囲を通過するように用紙が搬送される。このような場合、コントローラ６０は、Ｃａ（ｉ）をＦ１／Ｌで掛けた値と、Ｃａ（ｉ＋１）と、Ｃａ（ｉ＋２）をＦ２／Ｌで掛けた値との和を補正値にする。そして、コントローラ６０は、当初の目標搬送量Ｆから補正値を加えた値を目標にして搬送モータ２２を駆動して、用紙を搬送する。
【００９７】
このように、コントローラが当初の目標搬送量Ｆを補正して、補正後の目標搬送量に基づいて搬送ユニットを制御すると、実際の搬送量が当初の目標搬送量Ｆになるように補正され、ＤＣ成分の搬送誤差が補正される。
【００９８】
＜各相対位置における補正値の重要度＞
図２４Ａは、搬送ローラ２３から用紙が外れる前の状態を示す図であり、図２４Ｂは、搬送ローラ２３から用紙が外れる瞬間の状態を示す図である。搬送ローラ２３と対をなす従動ローラ２６は、ゴムなどの弾性体でできている。よって、図２４Ａに示すように用紙Ｓを搬送しているときにおいて、搬送ローラ２３と従動ローラ２６との間に挟み込まれた用紙Ｓには弾性力により圧縮される力が加わっている。前述の通り、従動ローラ２６は弾性体でできていることから、図２４Ｂに示すように搬送ローラ２３と従動ローラ２６から用紙Ｓが外れる瞬間、用紙Ｓを搬送方向にはじき飛ばすような力が生ずる。このような力の影響により、搬送ローラ２３から外れるときの搬送誤差は、その他の位置における搬送よりも大きくなることが考えられる。そのため、搬送ローラ２３から外れるときに適用される補正値は、その他の位置における搬送において適用される補正値よりも重要度は高いということが考えられ、この補正値は的確に搬送ローラ２３から外れるときの搬送において適用されるべきである。
【００９９】
＜用紙のサイズが異なる場合＞
用紙Ｓに印刷を行う前に、用紙サイズの設定が行われる。設定された用紙のサイズと、実際に印刷が行われる用紙のサイズが一致していれば、各位置の搬送に適切な補正値が適用され、精度の高い搬送が行われる。しかしながら、設定された用紙のサイズ（ここでは、１０１．６ｍｍ×１５２．４ｍｍ（４インチ×６インチ））よりも実際の用紙Ｓが搬送方向に短い場合、適切な位置に補正値が適用されない場合がある。
【０１００】
図２５は、用紙の搬送方向の長さが短いときのＮＩＰラインの位置を説明するための図である。図に示す用紙のサイズは、設定のサイズのものより搬送方向について短い。ＮＩＰラインは、下端からＤｎの距離の位置に存在することとなるため、このときＮＩＰラインは、境界位置Ｌ１９への搬送が行われているときに訪れる。一方、設定のサイズ（１０１．６ｍｍ×１５２．４ｍｍ（４インチ×６インチ））の用紙のときのＮＩＰラインは、境界位置Ｌ２１への搬送が行われるときに訪れていた。
【０１０１】
よって、用紙の搬送方向のサイズが短いときに、設定の用紙のサイズの補正値をそのまま適用したのでは、用紙が搬送ローラからはずれるときに適用するべき補正値を他の位置の搬送のときに適用してしまうこととなる。そうすると、搬送誤差がかえって悪化することも考えられる。
【０１０２】
図２６は、用紙の搬送方向の長さが長いときのＮＩＰラインの位置を説明するための図である。図に示す用紙のサイズは、設定のサイズのものより搬送方向について長い。ＮＩＰラインは、下端からＤｎの距離の位置に存在することとなるため、このときＮＩＰラインは、境界位置Ｌ２２への搬送が終了した後に訪れる。このように、用紙の搬送方向のサイズが長いときに、設定の用紙のサイズの補正値をそのまま適用したのでは、用紙が搬送ローラからはずれるときに適用するべき補正値を他の位置の搬送のときに適用してしまうこととなる。そうすると、搬送誤差がかえって悪化することも考えられる。
【０１０３】
＜用紙の下端の補正値について＞
図２７Ａは、用紙が搬送ローラ２３と排紙ローラ２５とによって搬送されるときにおける、初期段階の用紙の位置を示す図である。初期段階では、用紙の上端付近（用紙の下流側付近）が搬送ローラ２３と排紙ローラ２５に挟まれている。そして、用紙の後端の大部分が給紙台２９に接している。図２７Ｂは、用紙が搬送ローラ２３と排紙ローラ２５とによって搬送されるときにおける、後期段階の用紙の位置を示す図である。後期段階では、用紙の後端付近（用紙の上流側付近）の給紙台２９に接している部分少なくなっている。
【０１０４】
図２７Ａを参照すると、給紙台２９と搬送ローラ２３との間において用紙がたわんでいる箇所がある（図中の点線で囲んだ箇所）。この用紙のたわみ量は、用紙搬送の初期段階から後期段階に入るまでにおいてほぼ同様のたわみ量を有するものと考えられる。一方、図２７Ｂを参照すると、後期段階では、上流側の用紙のほとんどの部分が給紙台２９に接しておらず、用紙が搬送されるにつれて図中の点線で囲んだ箇所のたわみ量が大きく変化していく。
【０１０５】
用紙のたわみ量の変化は、搬送誤差の変化に影響を与える。よって、用紙搬送の後期段階に入る前においては、搬送誤差は生じるものの搬送誤差の変動量は小さい。用紙のたわみ量の変化が少ない初期段階から中期段階における用紙の相対位置は、用紙の下流側（上端側）の部分から中央の部分がヘッド近傍にあるときとなる。よって、用紙の上端側から中央の部分がヘッド近傍にあるときの搬送誤差の変動量は、用紙の下端側の部分がヘッド近傍にあるときの搬送誤差の変動量に比べて小さいものと考えられる。補正値は、搬送誤差の量に対応する量となる。よって、搬送誤差の変動量が少ない場合、隣り合う位置の搬送誤差は比較的近い量となり、隣り合う補正値も比較的近い値となる。
【０１０６】
用紙のサイズを小さくした場合、搬送誤差の変動量が少ないとき、すなわち、たわみ量の変化が比較的少ない部分の搬送が省略されたものと考えることができる。よって、設定のサイズの用紙の補正値のテーブルから、より小さいサイズの用紙の補正値のテーブルを作成する場合には、上述のたわみ量の変化が小さい部分に対応する補正値を削除することで、小さいサイズの補正値のテーブルを作成することが望ましい。
【０１０７】
一方、設定のサイズの用紙のテーブルから、より大きいサイズの補正値のテーブルを作成する場合には、上述のたわみ量の変化が比較的小さい部分の補正値を複数回使用し、足りない補正値を補間するようにして作成することが望ましい。これは、搬送する用紙のサイズを大きくした場合、上述のたわみ量の変化が小さい部分の搬送が追加されたものと考えられることができるからである。
【０１０８】
これらのことから、用紙のサイズが設定のサイズと異なっている場合、搬送誤差の変動量が大きい下端部付近の搬送について、下端からの距離を基準にして対応する補正値を適用することが望ましい。また、下端からの距離を基準にして対応する補正値を適用することで、用紙のサイズが異なっていても、確実に、搬送ローラから用紙が外れるときに適用するべき補正値を用紙が外れるときの位置に適用することができる。
【０１０９】
以下に示す実施形態では、用紙の下端部を検出した後、下端からの相対的な距離に対応した補正値を適用するようにして、用紙のサイズが設定のサイズと異なっている場合であっても、下端部付近に適用するべき補正値を確実に下端部付近に適用するようにしている。
【０１１０】
＝＝＝実施形態＝＝＝
図２８Ａ及び図２８Ｂは、用紙検出センサ５３の動作を説明するための図である。用紙検出センサ５３は、前述の通り、用紙の上端及び後端を検出するように、上流側のローラである搬送ローラ２３よりもさらに上流側に取り付けられる。用紙検出センサ５３は、用紙と接触する用紙接触部材５３４と光路遮断部材５３１を含む。用紙接触部材５３４と光路遮断部材５３１とは一体に成型されており、これらは軸５３３を支点に回転可能にプリンタ１内に取り付けられている。また、用紙検出センサ５３は、光学センサ５３２も含まれる。
【０１１１】
用紙Ｓが用紙接触部材５３４に接触していないときには、用紙接触部材５３４及び光路遮断部材５３１との自重により、これらの位置は図２８Ａに示すような位置となっている。一方、用紙Ｓが用紙接触部材５３４に接触すると、用紙接触部材は軸５３３を支点に時計回りに移動させられ、一体成型されている光路遮断部材５３１も支点５３３を軸として時計回りに移動させられる（図２８Ｂ）。
【０１１２】
図において、紙面手前側には、この光学センサ５３２に光を照射するための不図示のレーザ発光装置が取り付けられている。用紙Ｓが用紙接触部材５３４に接触していないときには、光路遮断部材５３１がレーザ発光装置からのレーザ光を遮るため、センサ５３２はレーザ光を検出しない。一方、用紙Ｓが用紙接触部材５３４に接触することによって時計回りに移動させられると、光路遮断部材５３１も時計回りに回転させられ、レーザ光を遮っていた光路遮断部材５３１が移動して、光学センサ５３２が光を検出する。
【０１１３】
用紙Ｓの搬送が進み、用紙接触部材５３４が用紙Ｓの下端との接触を終えると、用紙接触部材５３４及び光路遮断部材５３１の位置は、再び図２８Ａに示す位置に戻る。光学センサ５３２の出力はコントローラ６０に接続されている。そして、コントローラ６０は、光学センサ５３２がレーザ光を受光しているか否かに基づいて、用紙接触部材５３４に用紙Ｓが接触しているか否かを検知できるようになっている。このようにして、用紙の上端及び下端を検出することができるようになっている。
【０１１４】
尚、用紙検出センサ５３とコントローラ６０は、用紙の下端を検出するためのセンサに相当する。また、用紙の下端を検出することが可能であれば、他のセンサを使用することとしてもよい。
【０１１５】
図２９は、本実施形態において使用される補正値のテーブルについて説明するための図である。図には、１０１．６ｍｍ×１５２．４ｍｍ（４インチ×６インチ）の用紙Ｓを搬送するときにおいて使用される補正値が対応する境界位置情報と共に示されている。
【０１１６】
補正値のテーブルは、用紙のサイズごとに用意されている。用紙に印刷を行う際、印刷対象の用紙のサイズがコンピュータ１１０を介して設定されることで、用紙のサイズに合わせた補正値が適用され、搬送が行われる。本実施形態の場合にも、コンピュータ１１０から４インチ×６インチの用紙を使用した印刷を行うという情報がプリンタ１のコントローラ６０に予め送られており、コントローラ６０は、図に示すような補正値のテーブルをメモリ６３から読み出して使用することとする。
【０１１７】
尚、以降の説明について、「Ｌｉまでの搬送範囲」とは「Ｌｉ−１に相当する理論位置からＬｉに相当する理論位置までの搬送範囲」を示すこととして説明を行う。
【０１１８】
本実施形態のプリンタ１において、用紙検出センサ５３が設けられている位置の関係から、上述の用紙Ｓの下端が検出されるのは、Ｌ１６までの搬送範囲となっている。また、下端を基準にした搬送範囲に対応する補正値が、Ｃａ（１６）〜Ｃａ（２１）であることが示されている。また、搬送ローラから用紙が外れるときの搬送が、Ｌ２１までの搬送範囲であることが示されている。そして、Ｌ２１に相当する理論位置に対応する補正値がＣａ（２０）であることが示されている。
【０１１９】
図３０は、本実施形態を説明するためのフローチャートである。最初に、コントローラ６０は、用紙Ｓの下端を既に検出したか否かについて判定する（Ｓ２０２）。用紙の下端を検出していない場合、コントローラ６０は、用紙の下端を検出する予定の搬送範囲（ここでは、Ｌ１６までの搬送範囲）を超えているか否かについて判定する（Ｓ２０４）。用紙Ｓの下端を検出する予定の搬送範囲を超えていないときには、設定された補正値のテーブル（図２９）をそのまま使用し、対応する境界情報に基づいて搬送量の補正を行って（Ｓ２０６）、用紙の搬送を行う。そして、再度、ステップＳ２０２を実行することになる。このような動作を繰り返すことにより、用紙Ｓは、用紙Ｓの上端を基準とした境界位置情報に対応した補正値が適用されつつ、搬送が行われる。
【０１２０】
用紙の搬送方向の長さが短い場合において、このような搬送が続けられると下端検出予定の搬送範囲に達する前に用紙の下端を検出する（Ｓ２０２）。用紙Ｓの下端を検出すると、現在の搬送範囲の次の搬送範囲に対応する補正値から、下端を基準として補正値を適用するように補正値のテーブルを書き換える（Ｓ２１０）。そして、書き換えられた補正値のテーブルに基づいて搬送量の補正を行いつつ搬送を行う。例えば、Ｌ１４までの搬送範囲の搬送を行っているときにおいて用紙の下端が検出されると、この境界位置情報Ｌ１４の後の境界位置情報Ｌ１５以降に対応する補正値を下端を基準とした補正値を適用するように補正値のテーブルを書き換える。
【０１２１】
図３１は、用紙の搬送方向のサイズが短い場合に適用される補正値の順序の一例である。ここでは、Ｌ１４までの搬送範囲の搬送を行っているときに用紙の下端が検出されたので、次の境界位置情報Ｌ１５〜Ｌ２０に対応する補正値が下端を基準とした補正値Ｃａ（１６）〜Ｃａ（２１）に書き換えられている。このように、用紙の下端を検出した後に、下端を基準とした補正値を適用することとするので、下端部付近に適用するべき補正値を確実に下端部付近に適用することができる。
【０１２２】
ところで、ステップ２０４において、下端検出予定の搬送範囲を超えていた場合、コントローラ６０は、次の搬送範囲において、下端検出予定の搬送範囲に対応づけられた補正値を再度使用するように対応づける（Ｓ２０８）。これは、ステップＳ２０２において用紙Ｓの下端を検出しておらず、さらに、ステップＳ２０４において下端検出予定の搬送範囲を超えている場合、本来、下端を既に検出しているはずであるのに未だ下端が訪れていないことを示している。これは、用紙Ｓの搬送方向の長さが設定された用紙の長さよりも長いことを示している。
【０１２３】
このような場合には、下端検出予定の範囲に対応する補正値を再度適用して、足りなくなるであろう補正値を補っている。本実施形態では、下端検出予定の搬送範囲はＬ１６までの搬送範囲であり、これに対応する補正値はＣａ（１５）である。よって、この場合には、Ｃａ（１５）が再度使用されるようになる。
【０１２４】
図３２は、用紙の搬送方向のサイズが大きい場合に適用される補正値の順序の一例である。用紙の搬送方向の長さが長いために補正値Ｃａ（１５）が２回分多く繰り返して使用されていることが示されている。
【０１２５】
下端検出予定の範囲の補正値が繰り返し使用されて搬送が行われると、用紙Ｓの下端が検出される（Ｓ２０２）。用紙Ｓの下端が検出されると、コントローラ６０は、ステップＳ２１０を実行し、現在の搬送範囲の次の搬送範囲に対応する補正値から、下端を基準とした補正値を適用するように補正値のテーブルを書き換える。ここでは、Ｌ１８までの搬送範囲において用紙の下端が検出されたので、次の境界情報Ｌ１９〜Ｌ２４に対応する補正値が下端を基準とした補正値Ｃａ（１６）〜Ｃａ（２１）に書き換えられていることが示されている（図３２）。
【０１２６】
このようにすることによって、用紙の搬送方向のサイズが小さい場合又は大きい場合であっても、下端を基準とした補正値を用いて下端部付近の搬送を行うことができる。そして、搬送が不安定になりがちな、下端部付近の搬送を適切な補正値を適用して搬送することができる。特に、用紙のサイズが異なっていても、確実に、搬送ローラ２３から用紙が外れるときに適用されるべき補正値を用紙が外れるときの位置に適用することができる。
【０１２７】
本実施形態では、印刷を予定している用紙のサイズよりも小さい用紙、又は、大きい用紙を使用してしまった場合について説明を行った。しかしながら、設定した媒体のサイズと同じサイズの媒体を用いたものの、何らかの原因により使用するべき補正値の相対位置がずれてしまった場合にも適用することができる。例えば、媒体の製造誤差などの個体差によるサイズの変動、及び、環境による媒体のサイズの若干の変化などにより、適用するべき補正値の相対位置がずれてしまった場合にも上述の実施形態を適用することができる。これは、用紙検出センサ５３によって下端を検出しながら、適用するべき補正値の位置を修正するからである。そして、搬送が不安定になりがちな下端部付近の搬送を適切な補正値を適用して搬送することができる。
【０１２８】
＝＝＝その他の実施の形態＝＝＝
上記の実施形態は、主としてプリンタについて記載されているが、その中には、印刷装置、記録装置、液体の吐出装置、搬送方法、印刷方法、記録方法、液体の吐出方法、印刷システム、記録システム、コンピュータシステム、プログラム、プログラムを記憶した記憶媒体、表示画面、画面表示方法、印刷物の製造方法、等の開示が含まれていることは言うまでもない。
【０１２９】
また、一実施形態としてのプリンタ等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【０１３０】
＜プリンタについて＞
前述の実施形態では、プリンタが説明されていたが、これに限られるものではない。例えば、カラーフィルタ製造装置、染色装置、微細加工装置、半導体製造装置、表面加工装置、三次元造形機、液体気化装置、有機ＥＬ製造装置（特に高分子ＥＬ製造装置）、ディスプレイ製造装置、成膜装置、ＤＮＡチップ製造装置などのインクジェット技術を応用した各種の記録装置に、本実施形態と同様の技術を適用しても良い。
【０１３１】
また、ピエゾ素子を利用するものに限られず、例えばサーマルプリンタなどにも適用できる。また、液体を吐出するものに限られず、ワイヤドットプリンタなどにも適用できる。
【図面の簡単な説明】
【０１３２】
【図１】プリンタ１の全体構成のブロック図である。
【図２】図２Ａは、プリンタ１の全体構成の概略図であり、図２Ｂは、プリンタ１の全体構成の横断面図である。
【図３】ノズルの配列を示す説明図である。
【図４】搬送ユニット２０の構成の説明図である。
【図５】ＡＣ成分の搬送誤差の説明用グラフである。
【図６】用紙を搬送する際に生じる搬送誤差のグラフ（概念図）である。
【図７】搬送量を補正するための補正値を決定するまでのフロー図である。
【図８】図８Ａ〜図８Ｃは、補正値を決定するまでの様子の説明図である。
【図９】測定用パターンの印刷の様子の説明図である。
【図１０】図１０Ａは、スキャナ１５０の縦断面図であり、図１０Ｂは、上蓋１５１を外した状態のスキャナ１５０の上面図である。
【図１１】スキャナの読み取り位置の誤差のグラフである。
【図１２】図１２Ａは、基準シートＳＳの説明図である。図１２Ｂは、原稿台ガラス１５２にテストシートＴＳと基準シートＳＳをセットした様子の説明図である。
【図１３】Ｓ１０３における補正値算出処理のフロー図である。
【図１４】画像の分割（Ｓ１３１）の説明図である。
【図１５】図１５Ａは、測定用パターンの画像の傾きを検出する様子の説明図であり、図１５Ｂは、取り出された画素の階調値のグラフである。
【図１６】測定用パターンの印刷時の傾きの検出の様子の説明図である。
【図１７】余白量Ｘの説明図である。
【図１８】図１８Ａは、ラインの位置を算出する際に用いられる画像の範囲の説明図であり、図１８Ｂは、ラインの位置の算出の説明図である。
【図１９】算出されたラインの位置の説明図である。
【図２０】測定用パターンのｉ番目のラインの絶対位置の算出の説明図である。
【図２１】補正値Ｃ（ｉ）の対応する範囲の説明図である。
【図２２】メモリ６３に記憶されるテーブルの説明図である。
【図２３Ａ】第１のケースでの補正値の説明図である。
【図２３Ｂ】第２のケースでの補正値の説明図である。
【図２３Ｃ】第３のケースでの補正値の説明図である。
【図２３Ｄ】第４のケースでの補正値の説明図である。
【図２４】図２４Ａは、搬送ローラ２３から用紙が外れる前の状態を示す図であり、図２４Ｂは搬送ローラ２３から用紙が外れる瞬間を示す図である。
【図２５】用紙の搬送方向の長さが短いときのＮＩＰラインの位置を説明するための図である。
【図２６】用紙の搬送方向の長さが長いときのＮＩＰラインの位置を説明するための図である。
【図２７】図２７Ａは、用紙が搬送ローラ２３と排紙ローラ２５とによって搬送されるときにおける、初期段階の用紙の位置を示す図であり、図２７Ｂは、用紙が搬送ローラ２３と排紙ローラ２５とによって搬送されるときにおける、後期段階の用紙の位置を示す図である。
【図２８】図２８Ａ及び図２８Ｂは、用紙検出センサ５３の動作を説明するための図である。
【図２９】本実施形態において使用される補正値のテーブルについて説明するための図である。
【図３０】本実施形態を説明するためのフローチャートである。
【図３１】用紙の搬送方向のサイズが短い場合に適用される補正値の順序の一例である。
【図３２】用紙の搬送方向のサイズが長い場合に適用される補正値の順序の一例である。
【符号の説明】
【０１３３】
１  プリンタ、１１０  コンピュータ、
２０  搬送ユニット、２１  給紙ローラ、２２  搬送モータ、２３  搬送ローラ、
２４  プラテン、２５  排紙ローラ、２６  従動ローラ、２７  従動ローラ、
３０  キャリッジユニット、３１  キャリッジ、３２  キャリッジモータ、
４０  ヘッドユニット、４１  ヘッド、
５０  検出器群、５１  リニア式エンコーダ、
５２  ロータリー式エンコーダ、５２１  スケール、５２２  検出部、
５３  用紙検出センサ、５４  光学センサ、
６０  コントローラ、６１  インターフェース部、６２  ＣＰＵ、６３  メモリ、
６４  ユニット制御回路、
１５０  スキャナ、１５１  上蓋、１５２  原稿台ガラス、
１５３  読取キャリッジ、１５４  案内部、１５５  移動機構、
１５７  露光ランプ、１５８  ラインセンサ、１５９  光学系、
ＴＳ  テストシート、ＳＳ  基準シート
【図１】
2009137136.tif 000003
【図２】
2009137136.tif 000004
【図３】
2009137136.tif 000005
【図４】
2009137136.tif 000006
【図５】
2009137136.tif 000007
【図６】
2009137136.tif 000008
【図７】
2009137136.tif 000009
【図８】
2009137136.tif 000010
【図９】
2009137136.tif 000011
【図１０】
2009137136.tif 000012
【図１１】
2009137136.tif 000013
【図１２】
2009137136.tif 000014
【図１３】
2009137136.tif 000015
【図１４】
2009137136.tif 000016
【図１５】
2009137136.tif 000017
【図１６】
2009137136.tif 000018
【図１７】
2009137136.tif 000019
【図１８】
2009137136.tif 000020
【図１９】
2009137136.tif 000021
【図２０】
2009137136.tif 000022
【図２１】
2009137136.tif 000023
【図２２】
2009137136.tif 000024
【図２３Ａ】
2009137136.tif 000025
【図２３Ｂ】
2009137136.tif 000026
【図２３Ｃ】
2009137136.tif 000027
【図２３Ｄ】
2009137136.tif 000028
【図２４】
2009137136.tif 000029
【図２５】
2009137136.tif 000030
【図２６】
2009137136.tif 000031
【図２７】
2009137136.tif 000032
【図２８】
2009137136.tif 000033
【図２９】
2009137136.tif 000034
【図３０】
2009137136.tif 000035
【図３１】
2009137136.tif 000036
【図３２】
2009137136.tif 000037